(57)【要約】      （修正有）【課題】携帯に便利で手を汚すことなく簡単な操作で排泄物を回収できる安価な排泄物回収具を提供する。【解決手段】犬等のペットの排泄時に、排泄物回収具を、排泄前にペットの尻の下部に事前に置き、排泄物を回収袋の上部に受け、回収袋の端部の一方を引っ張ると、端部の上辺は突起部で止まり下辺を持って、回収袋を容易に裏返すことができる。【選択図】図１
0003165847.tif 000002
【実用新案登録請求の範囲】
【請求項１】
排泄物回収具の回収具本体は、回収袋の内側に挿入されており、回収具本体は、把持部の夫々の端部を連結してリング部が設けられており、把持部とリング部との間には、突起部が設けられており、
犬等のペットの排泄時に、排泄物回収具を、排泄前にペットの尻の下部に事前に置き、排泄物を回収袋の上部に受け、回収袋の端部の一方を引っ張ると、端部の上辺は突起部で止まり、下辺を持って回収袋を容易に裏返すことができることを特徴とするペットの排泄物回収具。
【請求項２】
排泄物回収具の回収具本体は、回収袋の内側に挿入されており、回収具本体は、把持部の夫々の端部を連結してリング部が設けられており、該リング部は、弾性のあるバネ金属で、構成されており、リング部を捻るとバネ金属の形状記憶性により、リング部は回収袋と共に、２重又は３重に重なり小さくすることができ、
リング部が、開かぬよう押え具に鋏み、固定して小型化して携帯し、使用時は押え具から外し、犬等のペットの排泄時に、排泄物回収具を、排泄前にペットの尻の下部に事前に置き、排泄物を回収袋の上部に受け、排泄が終了すると、回収袋の端部を掴んで、回収具本体の下をくぐらせ、下辺を持って、容易に裏返すことができることを特徴とするペットの排泄物回収具。
【考案の詳細な説明】
【技術分野】
【０００１】  本考案は、ペット飼育用具、特にペットの排泄物回収具を提供するものである。
【背景技術】
【０００２】  近年ペットブームとなり、犬や猫等が排泄した糞等の排泄物を除去する用具が、提案されているがいずれも携帯に便利で、簡便に排泄物を回収する用具が提供されていなかった。
特に犬等のペットが散歩時等に、路上等で排せつした時に携帯に便利で、手を汚すことなく簡単な操作で排泄物を回収できる排泄物回収具が望まれていた。【０００３】  従来より提案されている排泄物回収具は、例としては、「特開２００５−２５３３５０」「特開平１１−０７５６０２」等が、提案されているが、装置が大型で、ハンドバッグやカバンに入れたりして簡便に携帯することが難しい用具ばかりであった。そのため回収具は、価格が、高価なものとなっていた。【０００４】  更に従来例では、排泄前に用具を下にあてがうと、ペットが警戒して逃げてしまうため事前の使用は困難であった。
特に道路の凹みや、芝生等の草むらに排泄物が落ちると、すべてを取ることが難しく、一部残ってしまい、再度チリ紙等で清掃しなければならず、手間を取っていた。
【先行技術文献】
【特許文献１】特開２００５−２５３３５０号
【特許文献２】特開平１１−０７５６０２号
【０００５】
【考案の概要】
【考案が解決しようとする課題】
【０００６】  本考案は、極めて簡単な構造で、ペットの排泄物の回収ができ、携帯に便利で、手を汚すことなく使用でき、しかも安価で製作することができる実際的な回収具を提供するものである。
【課題を解決するための手段】
【０００７】  排泄物回収具の回収具本体は、回収袋の内側に挿入されており、回収具本体は、把持部の夫々の端部を連結してリング部が設けられており、把持部とリング部との間には、突起部が設けられており、
犬等のペットの排泄時に、排泄物回収具を、排泄前にペットの尻の下部に事前に置き、排泄物を回収袋の上部に受け、回収袋の端部の一方を引っ張ると、端部の上辺は突起部で止まり、下辺を持って回収袋を容易に裏返すことができることを特徴とするペットの排泄物回収具を提供する。【０００８】  排泄物回収具の回収具本体は、回収袋の内側に挿入されており、回収具本体は、把持部の夫々の端部を連結してリング部が設けられており、該リング部は、弾性のあるバネ金属で、構成されており、リング部を捻るとバネ金属の形状記憶性により、リング部は回収袋と共に、２重又は３重に重なり小さくすることができ、
リング部が、開かぬよう押え具に鋏み、固定して小型化して携帯し、使用時は押え具から外し、犬等のペットの排泄時に、排泄物回収具を、排泄前にペットの尻の下部に事前に置き、排泄物を回収袋の上部に受け、排泄が終了すると、回収袋の端部を掴んで、回収具本体の下をくぐらせ、下辺を持って、容易に裏返すことができることを特徴とするペットの排泄物回収具を提供する。
【考案の効果】
【０００９】（１）従来の排泄物回収具は、装置が大型で、ハンドバッグやカバンに入れたりして簡便に携帯することが難しい用具ばかりであった。
（２）従来例では、排泄前に用具を下に充てがうと、ペットが警戒して逃げてしまうため事前の使用は困難であった。
（３）従来例では、道路の凹みや、芝生等の草むらに排泄物が落ちると、すべてを取ることが難しく一部残ってしまい、再度チリ紙等で清掃しなければならず、手間を取っていた。
（４）極めて簡単な構造で、ペットの排泄物の回収ができ、しかも安価で製作することができる実際的な回収具を提供するものである。
（５）ペットの排泄時に、排泄物を受けるとその重量で、回収袋３は、へこみ回収がしやすくなる。
（６）飼育者は手を汚すことなく、排泄物を回収できるのである。
（７）実施例２のリング部１５は、弾性のあるバネ金属等で、構成されており、リング部１５を捻るとバネ金属等の形状記憶性により、２重又は３重に重なり小さくなり、バッグ等に入れて小型化して携帯することができる。
【図面の簡単な説明】
【００１０】
【図１】実施例１の全体構成図である。
【図２】排泄物回収具１の概略図である。
【図３】回収具本体２の全体正面図である。
【図４】回収具本体２の全体側面図である。
【図５】排泄物回収具１の使用時の概略図である。
【図６】排泄が終了した時の状態図である。
【図７】回収袋の端部３ａの一方を引っ張り裏返す状態図である。
【図８】下辺を持って裏返す状態図である。
【図９】裏返した状態図である。
【図１０】端部３ａを回収具本体２より外す状態図である。
【図１１】結束時の状態図である。
【図１２】実施例２の全体構成図である。
【図１３】回収具本体１２の全体図である。
【図１４】袋部１３とバネ部１５を捻るときの状態図である。
【図１５】排泄物回収具１２の使用時の概略図である。
【図１６】端部１３ａの下辺を持って裏返す状態図である。
【図１７】裏返した状態図である。
【考案を実施するための形態】
【００１１】  本考案は、考案の効果に前述した如く、極めて簡単な構造で、ペットの排泄物の回収ができ、携帯に便利で、手を汚すことなく使用でき、しかも安価で製作することができる実際的な回収具を提供するものである。
【００１２】  なお、本考案の前記ならびにそのほかの目的と新規な特徴は次の説明を添付図面と照らし合わせて読むと、より完全に明らかになるであろう。
ただし、図面はもっぱら解説のためのものであって、本考案の技術的範囲を限定するものではない。
【実施例１】
【００１３】  以下、本考案の実施例について、図面を参照しながら説明する。
この実施例１の全体構成図を図１に示す。
排泄物回収具１の回収具本体２は、図２に示すように合成樹脂等の回収袋３の内側に挿入されている。
合成樹脂等の回収袋３は、スーパーマーケット等の商店で安価に入手することができる。
回収袋の端部３ａは、回収具本体２の一端に設けられた袋固定部７に挟み込んで固定されている。【００１４】  図３は、回収具本体２の全体正面図を示し、図４は、その全体側面図を示す。
回収具本体２の構成は、把持部４の夫々の端部を連結してリング部５が設けられている。
把持部４とリング部５との間には、夫々、突起部６が設けられており、又把持部４の中央部分には、袋固定部７が設けられている。
リング部５の寸法は、リング部５の中心直径で、小型犬、猫等の場合は、１２０ｍｍφ〜１５０ｍｍφ、大型犬の場合は、１４０ｍｍφ〜２５０ｍｍφの大きさが望ましい。
把持部４とリング部５は、取外し可能に構成してもよい。【００１５】  排泄物回収具１の使用状態を説明する。
図５は、犬等のペットの排泄時に、排泄物回収具１を、排泄前にペットの尻の下部に事前に置き、排泄物を回収袋３の上部に受ける。排泄物を受けるとその重量で、回収袋３は、へこみ回収がしやすくなるのである。【００１６】  図６のように排泄が終了すると図７に示すように、回収袋の端部３ａを袋固定部７より外して、端部３ａの一方を引っ張り裏返す。
このときに端部３ａは、突起部６に当たり、上辺は突起部６で止まり、図８のように下辺を持って、容易に裏返すことができる。
裏返した状態が図９で、端部３ａを回収具本体２より図１０の如く外し、図１１のように結束する。
このように操作することで、飼育者は手を汚すことなく、排泄物を回収できるのである。
【実施例２】
【００１７】  図１２に実施例２の全体構成図を示す。
排泄物回収具１１の回収具本体１２は、図１２に示すように合成樹脂等の回収袋１３の内側に挿入されている。
回収具本体１１の構成は、図１３に示すように、把持部１４の夫々の端部を連結してリング部１５が設けられている。【００１８】  次に、回収具本体１２のリング部１５は、弾性のあるバネ金属等で、構成されている。
回収袋１３の内側に回収具本体１２を挿入し、その状態で図１４のごとく、リング部１５を捻るとバネ金属等の形状記憶性により、図１３に示すようにリング部１５は回収袋１３と共に、２重又は３重に重なり小さくすることができるように構成されている。
そして、リング部１５が、重ねた状態で開かぬよう押え具１６に挿入され、バッグ等に入れて小型化して携帯することができる。押え具１６は、図１２で示すケース上の物や、クリップ状のものでも良い。【００１９】  排泄物回収具１１の使用状態を説明する。
図１３は、押え具１６を外した状態で、バネ金属等の形状記憶性により元の形状に戻る。
この形状で、犬等のペットの排泄時に、図１５に示す如く、排泄物回収具１１を、排泄前にペットの尻の下部に事前に置き、排泄物を回収袋１３の上部に受ける。排泄物を受けるとその重量で、回収袋１３は、へこみ回収がしやすくなるのである。【００２０】  排泄が終了すると図１６に示すように、回収袋の端部１３ａを掴んで、排泄物回収具１１の下をくぐらせ、回収袋１３を裏返す。
このときに把持部１４を押さえておくと端部１３ａの上辺はリング部１５で止まり、下辺を持って、容易に裏返すことができる。【００２１】  裏返した状態が図１７で、端部１３ａを回収具本体１２より外し、図１１のように結束する。
このように操作することで、飼育者は手を汚すことなく、排泄物を回収できるのである。
更に本実施例２では、折り畳めることができるので、携帯時の大きさを小さくすることができる。
【産業上の利用可能性】
【００２２】  本考案の活用例としては、以上説明したように、極めて簡単な構造で、ペットの排泄物の回収ができ、携帯に便利で、手を汚すことなく使用でき、簡単な構造で安価に製作できるため、大量生産による新規商品分野を開拓でき、産業の活性化に、貢献することができる。
【符号の説明】
【００２３】１        排泄物回収具
２        回収具本体
３        回収袋
３ａ      回収袋の端部
４        把持部
５        リング部
６        突起部
７        袋固定部
１１      排泄物回収具
１２      回収具本体
１３      回収袋
１４      把持部
１５      リング部
１６      押え具
【図１】
0003165847.tif 000003
【図２】
0003165847.tif 000004
【図３】
0003165847.tif 000005
【図４】
0003165847.tif 000006
【図５】
0003165847.tif 000007
【図６】
0003165847.tif 000008
【図７】
0003165847.tif 000009
【図８】
0003165847.tif 000010
【図９】
0003165847.tif 000011
【図１０】
0003165847.tif 000012
【図１１】
0003165847.tif 000013
【図１２】
0003165847.tif 000014
【図１３】
0003165847.tif 000015
【図１４】
0003165847.tif 000016
【図１５】
0003165847.tif 000017
【図１６】
0003165847.tif 000018
【図１７】
0003165847.tif 000019